(57)【要約】【課題】複数の電力経路から供給される電力の受電状況に応じて効率よく充電を行う。【解決手段】携帯電話機は、２つの電力経路を介してそれぞれ供給される第１及び第２の電力を受電する受電部１７１及びコイル１９３を備える。また、携帯電話機は、受電部１７１及びコイル１９３によって受電された第１又は第２の電力を充電する第１及び第２の電池セル１８５，１８６を備える。また、携帯電話機は、受電部１７１と第１の電池セル１８５、及びコイル１９３と第２の電池セル１８６とをそれぞれ接続する第１及び第２の充電経路１９４，１９５を備える。また、携帯電話機は、第１及び第２の充電経路１９４，１９５を接続する第３の充電経路１９６を備える。また、携帯電話機は、第１及び第２の電力の受電状況に応じて、第３の充電経路１９６のオンオフの切り替えを制御するＭＰＵ１８９を備える。【選択図】図３
2014036504.tif 000002
【特許請求の範囲】
【請求項１】
２つの電力経路を介してそれぞれ供給される第１及び第２の電力を受電する第１及び第２の受電部と、
前記第１又は前記第２の受電部によって受電された第１又は第２の電力を充電する第１及び第２の電池セルと、
前記第１の受電部と前記第１の電池セル、及び前記第２の受電部と前記第２の電池セルとをそれぞれ接続する第１及び第２の充電経路と、
前記第１及び第２の充電経路を接続する第３の充電経路と、
前記第１及び前記第２の電力の受電状況に応じて、前記第３の充電経路のオンオフの切り替えを制御する制御部と、
を備えることを特徴とする電子機器。
【請求項２】
前記制御部は、前記第１及び前記第２の電力の双方が受電されている場合には、前記第３の充電経路をオフに切り替える
ことを特徴とする請求項１に記載の電子機器。
【請求項３】
前記制御部は、前記第１及び前記第２の電力のいずれか一方が受電されている場合には、前記第３の充電経路をオンに切り替える
ことを特徴とする請求項１又は２に記載の電子機器。
【請求項４】
前記第３の充電経路をオンオフする第１の切り替え回路と、
前記第２の充電経路における、前記第２の充電経路と前記第３の充電経路との接続点と前記第２の受電部との間の充電経路をオンオフする第２の切り替え回路と、
をさらに備え、
前記第１の電力が前記第１の受電部に接続されたＡＣアダプタを介して給電される電力であり、前記第２の電力が前記第２の受電部に非接触で給電する非接触電源から給電される電力である場合、
前記制御部は、前記第１の電力及び前記第２の電力の双方が受電されている場合には、前記第１の切り替え回路をオフに制御し、前記第２の切り替え回路をオンに制御し、
前記第１の電力が受電され前記第２の電力が受電されていない場合、又は前記第１の電力及び前記第２の電力のいずれも受電されていない場合には、前記第１の切り替え回路をオンに制御し、前記第２の切り替え回路をオフに制御し、
前記第２の電力が受電され前記第１の電力が受電されていない場合には、前記第１の切り替え回路をオンに制御し、前記第２の切り替え回路をオンに制御する
ことを特徴とする請求項１〜３のいずれか１項に記載の電子機器。
【請求項５】
２つの電力経路を介してそれぞれ供給され、２つの充電経路を経由して第１又は第２の電池セルに充電される２つの電力のうちの一方が受電されているか否かを判定し、
前記第２つの電力のうちの他方が受電されているか否かを判定し、
前記２つの電力の受電判定の結果に応じて、前記２つの充電経路を接続する充電経路のオンオフの切り替えを制御する
ことを特徴とする充電制御方法。
【請求項６】
電子機器に、
２つの電力経路を介してそれぞれ供給され、２つの充電経路を経由して第１又は第２の電池セルに充電される２つの電力のうちの一方が受電されているか否かを判定し、
前記第２つの電力のうちの他方が受電されているか否かを判定し、
前記２つの電力の受電判定の結果に応じて、前記２つの充電経路を接続する充電経路のオンオフの切り替えを制御する
処理を実行させることを特徴とする充電制御プログラム。
【発明の詳細な説明】
【技術分野】
【０００１】
本発明は、電子機器、充電制御方法、及び充電制御プログラムに関する。
【背景技術】
【０００２】
携帯電話機、スマートフォン等の電子機器には電池セルが内蔵されており、例えばＡＣアダプタを電子機器に接続することによりＡＣ電源から電池セルへ充電が行われる。また、近年は、ＡＣアダプタを電子機器に接続して行う接触充電に対して、例えば充電台に電子機器を載置して電磁誘導技術を利用することにより充電を行う非接触充電も知られている。
【０００３】
ところで、近年の電子機器は、高機能化に伴って電池セルの容量が増加傾向にあるため、電池セルの充電に要する時間も長くなる傾向にある。充電時間を減少させるためには電源から電池セルへ流れる充電電流を大きくすることが考えられるが、電池セル及び充電回路内の電流容量の制約から、充電電流を極端に大きくすることは難しい。
【０００４】
この点、従来技術では、コンデンサと二次電池を併設し、接触充電を行う場合及び非接触充電を行う場合のいずれも、コンデンサ及び二次電池に充電を行うことにより、充電スピードを向上させることが知られている。
【先行技術文献】
【特許文献】
【０００５】
【特許文献１】国際公開第２００２／０８６８１１号
【発明の概要】
【発明が解決しようとする課題】
【０００６】
しかしながら、従来技術は、複数の電力経路から供給される電力の受電状況に応じて効率よく充電を行うことは考慮されていない。
【０００７】
すなわち、従来技術は、単にコンデンサ及び二次電池を併設し、接触充電の充電経路及び非接触充電の充電経路をコンデンサ及び二次電池に接続するものである。このため、従来技術では、例えば、接触充電と非接触充電とを並列して同時に行うことは考慮されていない。
【０００８】
開示の技術は、上記に鑑みてなされたものであって、複数の電力経路から供給される電力の受電状況に応じて効率よく充電を行うことができる電子機器、充電制御方法、及び充電制御プログラムを実現することを目的とする。
【課題を解決するための手段】
【０００９】
本願の開示する電子機器は、一つの態様において、２つの電力経路を介してそれぞれ供給される第１及び第２の電力を受電する第１及び第２の受電部を備える。また、電子機器は、前記第１又は前記第２の受電部によって受電された第１又は第２の電力を充電する第１及び第２の電池セルを備える。また、電子機器は、前記第１の受電部と前記第１の電池セル、及び前記第２の受電部と前記第２の電池セルとをそれぞれ接続する第１及び第２の充電経路と、前記第１及び第２の充電経路を接続する第３の充電経路とを備える。また、電子機器は、前記第１及び前記第２の電力の受電状況に応じて、前記第３の充電経路のオンオフの切り替えを制御する制御部を備える。
【発明の効果】
【００１０】
本願の開示する電子機器の一つの態様によれば、複数の電力経路から供給される電力の受電状況に応じて効率よく充電を行うことができる。
【図面の簡単な説明】
【００１１】
【図１】図１は、本実施形態の携帯電話機のダブル充電方法の概略を示す図である。
【図２】図２は、本実施形態の携帯電話機のハードウェア構成を示す図である。
【図３】図３は、電源管理部及び電池パックの構成を示す図である。
【図４】図４は、充電制御に用いる制御テーブルの一例を示す図である。
【図５】図５は、携帯電話機の充電制御のフローチャートである。
【発明を実施するための形態】
【００１２】
以下に、本願の開示する電子機器の実施形態を図面に基づいて詳細に説明する。なお、この実施形態により開示技術が限定されるものではない。例えば、以下の実施形態では、電子機器の一例として携帯電話機（スマートフォン）を挙げて説明するが、これには限られない。
【００１３】
図１は、本実施形態の携帯電話機のダブル充電方法の概略を示す図である。図１に示すように、本実施形態の携帯電話機１００は、ＡＣアダプタケーブル１０１を介した接触充電、及び充電台２００及び電源ケーブル２０１を介した非接触充電の両方に対応している。
【００１４】
より具体的には、携帯電話機１００は、電池パック１８０を内蔵している。また、携帯電話機１００は、ＡＣアダプタケーブル１０１を接続可能になっており、ＡＣアダプタケーブル１０１を介して受電した電力を電池パック１８０に充電する。なお、電池パック１８０の詳細は後述する。また、以下の説明では、ＡＣアダプタケーブル１０１を介した接触充電により受電した電力を、適宜「第１の電力」という。
【００１５】
また、図１に示すように、携帯電話機１００は、充電台２００に載置され、充電台２００から電磁誘導を利用した非接触充電によって電池パック１８０に充電を行う。充電台２００には電源ケーブル２０１が接続されているとともに、充電台２００の内部には電磁誘導を行うためのコイルが内蔵されている。一方、携帯電話機１００の電池パック１８０内部にも電磁誘導を行うためのコイルが内蔵されている。充電台２００は、電源ケーブル２０１を介して電力を受電する。携帯電話機１００は、充電台２００に内蔵されたコイル及び携帯電話機１００の電池パック１８０に内蔵されたコイルによって電磁誘導された電力を受電し、電池パック１８０に充電する。なお、以下の説明では、電池パック１８０に内蔵されたコイルを介して非接触充電により受電した電力を、適宜「第２の電力」という。
【００１６】
次に、携帯電話機１００の構成について説明する。図２は、本実施形態の携帯電話機のハードウェア構成を示す図である。図２に示すように、本実施形態の携帯電話機１００は、アンテナ１０２、無線部１１０、オーディオ入出力部１２０、スピーカ１２２、及びマイク１２４を備える。また、携帯電話機１００は、記憶部１３０、キー入力部１４０、表示部１５０、及びプロセッサ１６０を備える。また、携帯電話機１００は、電源管理部１７０と、電池パック１８０を備える。
【００１７】
無線部１１０は、アンテナ１０２を介して音声や文字などの各種データの無線通信を行う。また、オーディオ入出力部１２０は、マイク１２４を介して音声を入力するとともにスピーカ１２２を介して音声を出力する入出力インターフェースである。
【００１８】
記憶部１３０は、携帯電話機１００の各種機能を実行するためのデータ、及び携帯電話機１００の各種機能を実行するための各種プログラムを格納するＲＯＭ(Read  Only  Memory)１３２を有する。また、記憶部１３０は、ＲＯＭ１３２に格納された各種プログラムのうち実行されるプログラムを格納するＲＡＭ（Random  Access  Memory）１３４を有する。
【００１９】
キー入力部１４０は、携帯電話機１００に設けられた各種の操作キーを介してユーザから入力された操作を受け付ける入力インターフェースである。表示部１５０は、文字や画像などの各種情報を表示するとともにユーザから入力された操作を受け付けるタッチパネル式の入出力インターフェースである。
【００２０】
プロセッサ１６０は、ＲＯＭ１３２又はＲＡＭ１３４に格納された各種プログラムを実行するＣＰＵ（Central  Processing  Unit）等の演算処理部である。プロセッサ１６０は、ＲＯＭ１３２又はＲＡＭ１３４に格納された各種プログラムを実行することにより、上述した無線部１１０、オーディオ入出力部１２０、キー入力部１４０、表示部１５０、電源管理部１７０、及び電池パック１８０等を制御する。なお、プロセッサ１６０で実行されるプログラムは、ＲＯＭ１３２又はＲＡＭ１３４に格納されるだけではなく、ＣＤ(Compact  Disc)−ＲＯＭやメモリ媒体等の頒布できる記憶媒体に記録することができる。この場合、プロセッサ１６０は、記憶媒体からプログラムを読み出して実行することができる。また、ネットワークを介して接続されたサーバにプログラムを格納し、サーバ上でプログラムが動作するようにしておいて、ネットワークを介して接続される携帯電話機１００からの要求に応じてサービスを要求元の携帯電話機１００に提供することもできる。
【００２１】
次に、電源管理部１７０及び電池パック１８０の構成について説明する。図３は、電源管理部及び電池パックの構成を示す図である。
【００２２】
図３に示すように、電源管理部１７０は、受電部１７１、ＡＣアダプタ判定部１７２、ＬＤＯ（Ｌｏｗ  Ｄｒｏｐ  Ｏｕｔｐｕｔ）１７３、充電制御部１７４、及びシステム電源ＩＣ１７５を備える。また、電源管理部１７０は、電源端子１７６、Ｔ端子１７７、状態通知端子１７８、及び接地端子１７９を備える。
【００２３】
受電部１７１は、ＡＣアダプタケーブル１０１と接続され、ＡＣアダプタケーブル１０１を介して供給された第１の電力を受電する。ＡＣアダプタ判定部１７２は、ＡＣアダプタケーブル１０１を介して受電部１７１に第１の電力が受電されているか否かを判定する。受電部１７１に第１の電力が受電されているか否かの判定結果は、プロセッサ１６０に通知される。
【００２４】
ＬＤＯ１７３は、例えばＡＣアダプタ判定部１７２によって受電部１７１に第１の電力が受電されていないと判定されたら、Ｌｏｗレベルの信号を出力する。例えば、ＡＣアダプタ判定部１７２によって受電部１７１に第１の電力が受電されていないと判定されたら、プロセッサ１６０からＬＤＯ１７３へ指令信号が出力され、ＬＤＯ１７３は指令信号を受信したらＬｏｗレベルの信号を出力する。
【００２５】
充電制御部１７４は、電池パック１８０への充電量を制御する。例えば、充電制御部１７４は、電池パック１８０に充電されている電力量が少ない場合には、受電部１７１からの充電量を増加させ、電池パック１８０に充電されている電力量が多い場合には、受電部１７１からの充電量を減少させる。
【００２６】
システム電源ＩＣ（Ｉｎｔｅｇｒａｔｅｄ  Ｃｉｒｃｕｉｔ）１７５は、ＬＤＯ１７３からＬｏｗ信号が出力されたら、０．２Ｖ未満の電圧をＴ端子１７７へ出力する。電源端子１７６は、受電部１７１によって受電された第１の電力を電池パック１８０へ出力するための端子である。Ｔ端子１７７は、受電部１７１に第１の電力が受電されているか否かを示す信号を電池パック１８０へ出力するための端子である。
【００２７】
状態通知端子１７８は、充電台２００から電池パック１８０へ非接触充電が行われているか否かを示す信号を電池パック１８０からプロセッサ１６０へ出力するための端子である。接地端子１７９は、電源管理部１７０と電池パック１８０のグラウンド（０Ｖ）レベルを共通化するための端子である。
【００２８】
一方、電池パック１８０は、電源端子１８１、Ｔ端子１８２、状態通知端子１８３、及び接地端子１８４を備える。また、電池パック１８０は、第１の電池セル１８５、第２の電池セル１８６、ＴＨ（ＴＨＥＲＭＡＬ  ＳＷＩＴＣＨ）１８７、保護回路１８８、及びＭＰＵ（Ｍｉｃｒｏ  Ｐｒｏｃｅｓｓｉｎｇ  Ｕｎｉｔ）１８９を備える。また、電池パック１８０は、ＦＥＴＳＷ（Ｆｉｅｌｄ  Ｅｆｆｅｃｔ  Ｔｒａｎｓｉｓｔｏｒ  ＳＷＩＴＣＨ）１９０、ＦＥＴＳＷ１９１、同期整流回路１９２、及びコイル１９３を備える。
【００２９】
電源端子１８１は、受電部１７１によって受電され電源管理部１７０から出力された第１の電力を受電するための端子である。Ｔ端子１８２は、受電部１７１に第１の電力が受電されているか否かを示す信号を電源管理部１７０から受信するための端子である。状態通知端子１８３は、充電台２００から電池パック１８０へ非接触充電が行われているか否かを示す信号を電源管理部１７０へ出力するための端子である。接地端子１８４は、電源管理部１７０と電池パック１８０のグラウンド（０Ｖ）レベルを共通化するための端子である。
【００３０】
第１の電池セル１８５及び第２の電池セル１８６は、受電部１７１によってＡＣアダプタケーブル１０１を介して受電された第１の電力又はコイル１９３によって充電台２００を介して非接触で受電された第２の電力を充電する。受電部１７１と第１の電池セル１８５は、第１の充電経路１９４によって接続されている。また、コイル１９３と第２の電池セル１８６は第２の充電経路１９５によって接続されている。
【００３１】
ＴＨ１８７は、電池パック１８０の温度があらかじめ設定された閾値より高くなったら、Ｔ端子１８２に接続されているラインを地絡させる（グラウンド（０Ｖ）レベルのラインにショートさせる）ことにより、温度異常をＭＰＵ１８９へ通知する。保護回路１８８は、電池パック１８０の温度があらかじめ設定された閾値より高くなった場合に、ＭＰＵ１８９からの指令信号に基づいて、第１の電池セル１８５及び第２の電池セル１８６をグラウンド（０Ｖ）レベルのラインから切り離すことにより、第１の電池セル１８５及び第２の電池セル１８６を保護する。
【００３２】
ＭＰＵ１８９は、受電部１７１における第１の電力の受電状況、及びコイル１９３における第２の電力の受電状況に応じて、ＦＥＴＳＷ１９０及びＦＥＴＳＷ１９１のオンオフ切り替えの制御を行う。ＭＰＵ１８９の制御の詳細は後述する。
【００３３】
ＦＥＴＳＷ１９０は、第１の充電経路１９４と第２の充電経路１９５とを接続する第３の充電経路１９６に設けられており、第３の充電経路１９６をオンオフ（短絡開放）する。ＦＥＴＳＷ１９１は、第２の充電経路１９５における、第２の充電経路１９５と第３の充電経路１９６との接続点１９７とコイル１９３との間の充電経路１９５´に設けられ、充電経路１９５´をオンオフする。
【００３４】
充電台２００の内部にはコイル２０３が内蔵されているとともに、電池パック１８０の内部にはコイル１９３が内蔵されている。コイル２０３及びコイル１９３による電磁誘導によって、充電台２００から電池パック１８０へ非接触充電が行われる。
【００３５】
同期整流回路１９２は、コイル１９３によって受電された第２の電力を直流に整流し、第２の充電経路１９５へ出力する。同期整流回路１９２から出力された直流電圧はＭＰＵ１８９に入力され、ＭＰＵ１８９は、同期整流回路１９２から直流電圧が出力されているか否かを検出可能になっている。
【００３６】
次に、ＭＰＵ１８９による制御の詳細を説明する。図４は、充電制御に用いる制御テーブルの一例を示す図である。図５は、携帯電話機の充電制御のフローチャートである。
【００３７】
まず、図４に示すように、ＭＰＵ１８９による充電制御では、４つの充電モードがある。すなわち、４つの充電モードは、（１）ＡＣアダプタケーブル１０１を介して受電された第１の電力の充電のみを行う「接触充電のみモード」、及び（２）コイル１９３を介して受電された第２の電力の充電のみを行う「非接触充電のみモード」を有する。また、４つの充電モードは、（３）第１の電力及び第２の電力の双方を平行して充電する「ダブル充電モード」、及び（４）第１の電力及び第２の電力の双方を受電しない「非充電モード」を有する。
【００３８】
（１）「接触充電のみモード」では、Ｔ端子１７７，１８２は、「０．２Ｖ以上」となり、状態通知端子１７８，１８３は、「ＯＦＦ」となる。この場合、ＭＰＵ１８９は、ＦＥＴＳＷ１９０を「ＯＮ」に制御し、ＦＥＴＳＷ１９１を「ＯＦＦ」に制御する。
【００３９】
（２）「非接触充電のみモード」では、Ｔ端子１７７，１８２は、「０．２Ｖ未満」となり、状態通知端子１７８，１８３は、「ＯＮ」となる。この場合、ＭＰＵ１８９は、ＦＥＴＳＷ１９０を「ＯＮ」に制御し、ＦＥＴＳＷ１９１を「ＯＮ」に制御する。
【００４０】
（３）「ダブル充電モード」では、Ｔ端子１７７，１８２は、「０．２Ｖ以上」となり、状態通知端子１７８，１８３は、「ＯＮ」となる。この場合、ＭＰＵ１８９は、ＦＥＴＳＷ１９０を「ＯＦＦ」に制御し、ＦＥＴＳＷ１９１を「ＯＮ」に制御する。
【００４１】
（４）「非充電モード」では、Ｔ端子１７７，１８２は、「０．２Ｖ未満」となり、状態通知端子１７８，１８３は、「ＯＦＦ」となる。この場合、ＭＰＵ１８９は、ＦＥＴＳＷ１９０を「ＯＮ」に制御し、ＦＥＴＳＷ１９１を「ＯＦＦ」に制御する。
【００４２】
続いて、ＭＰＵ１８９による充電制御のフローチャートを説明する。図５に示すように、ＭＰＵ１８９は、まず、Ｔ端子１８２のレベルを確認する（ステップＳ１０１）。続いて、ＭＰＵ１８９は、Ｔ端子１８２のレベルが０．２Ｖ以上であるか否かを判定する（ステップＳ１０２）。
【００４３】
ＭＰＵ１８９は、Ｔ端子１８２のレベルが０．２Ｖ以上であると判定した場合（ステップＳ１０２，Ｙｅｓ）、同期整流電圧が発生しているか否かを判定する（ステップＳ１０３）。ＭＰＵ１８９は、同期整流電圧が発生していると判定した場合（ステップＳ１０３，Ｙｅｓ）、状態通知端子１８３に「ＯＮ」に相当する信号を出力する（ステップＳ１０４）。
【００４４】
そして、ＭＰＵ１８９は、Ｔ端子１８２のレベルが０．２Ｖ以上であり、かつ、状態通知端子１８３が「ＯＮ」であるので、ダブル充電モードであると判定し、ＦＥＴＳＷ１９０を「ＯＦＦ」に制御し、ＦＥＴＳＷ１９１を「ＯＮ」に制御する（ステップＳ１０５）。
【００４５】
一方、ＭＰＵ１８９は、同期整流電圧が発生していないと判定した場合（ステップＳ１０３，Ｎｏ）、状態通知端子１８３に「ＯＦＦ」に相当する信号を出力する（ステップＳ１０６）。
【００４６】
そして、ＭＰＵ１８９は、Ｔ端子１８２のレベルが０．２Ｖ以上であり、かつ、状態通知端子１８３が「ＯＦＦ」であるので、接触充電のみモードであると判定し、ＦＥＴＳＷ１９０を「ＯＮ」に制御し、ＦＥＴＳＷ１９１を「ＯＦＦ」に制御する（ステップＳ１０７）。
【００４７】
他方、ＭＰＵ１８９は、Ｔ端子１８２のレベルが０．２Ｖ以上ではない（０．２Ｖ未満）と判定した場合（ステップＳ１０２，Ｎｏ）、同期整流電圧が発生しているか否かを判定する（ステップＳ１０８）。ＭＰＵ１８９は、同期整流電圧が発生していると判定した場合（ステップＳ１０８，Ｙｅｓ）、状態通知端子１８３に「ＯＮ」に相当する信号を出力する（ステップＳ１０９）。
【００４８】
そして、ＭＰＵ１８９は、Ｔ端子１８２のレベルが０．２Ｖ以上ではなく、かつ、状態通知端子１８３が「ＯＮ」であるので、非接触充電のみモードであると判定し、ＦＥＴＳＷ１９０を「ＯＮ」に制御し、ＦＥＴＳＷ１９１を「ＯＮ」に制御する（ステップＳ１１０）。
【００４９】
一方、ＭＰＵ１８９は、同期整流電圧が発生していないと判定した場合（ステップＳ１０８，Ｎｏ）、状態通知端子１８３に「ＯＦＦ」に相当する信号を出力する（ステップＳ１１１）。
【００５０】
そして、ＭＰＵ１８９は、Ｔ端子１８２のレベルが０．２Ｖ以上ではなく、かつ、状態通知端子１８３が「ＯＦＦ」であるので、非充電モードであると判定し、ＦＥＴＳＷ１９０を「ＯＮ」に制御し、ＦＥＴＳＷ１９１を「ＯＦＦ」に制御する（ステップＳ１１２）。
【００５１】
以上、本実施形態の携帯電話機１００によれば、第１の電力及び第２の電力の受電状況に応じて、充電経路のオンオフの切り替えを制御するので、効率よく充電を行うことができる。
【００５２】
すなわち、「ダブル充電モード」の場合には、ＦＥＴＳＷ１９０を「ＯＦＦ」に制御し、ＦＥＴＳＷ１９１を「ＯＮ」に制御するので、第１の電力が第１の電池セル１８５に充電され、第２の電力が第２の電池セル１８６に充電される。その結果、２つの電力経路（ＡＣアダプタ、充電台）から供給された２つの電力を平行して同時に充電することができるので、迅速な充電を行うことができる。
【００５３】
次に、「接触充電のみモード」の場合には、ＦＥＴＳＷ１９０を「ＯＮ」に制御し、ＦＥＴＳＷ１９１を「ＯＦＦ」に制御するので、第１の電力が第１の電池セル１８５及び第２の電池セル１８６に平行して充電される。その結果、第１の電力を２つの電池セルで同時に充電することができるので、迅速な充電を行うことができる。
【００５４】
次に、「非接触充電のみモード」の場合には、ＦＥＴＳＷ１９０を「ＯＮ」に制御し、ＦＥＴＳＷ１９１を「ＯＮ」に制御するので、第２の電力が第１の電池セル１８５及び第２の電池セル１８６に平行して充電される。その結果、第２の電力を２つの電池セルで同時に充電することができるので、迅速な充電を行うことができる。
【００５５】
次に、「非充電モード」の場合には、ＦＥＴＳＷ１９０を「ＯＮ」に制御し、ＦＥＴＳＷ１９１を「ＯＦＦ」に制御するので、第１の電池セル１８５及び第２の電池セル１８６に受電された電力を、携帯電話機１００の各部に供給することができる。
【００５６】
なお、上述の実施形態では、第１の電力がＡＣアダプタを介して接触受電された電力であり、第２の電力が充電台２００を介して非接触受電された電力である場合を例示したが、これには限られない。また、上述の実施形態では、第３の充電経路１９６にＦＥＴＳＷ１９０を設けるとともに、充電経路１９５´にＦＥＴＳＷ１９１を設ける例を示したが、これには限られない。
【符号の説明】
【００５７】
１００  携帯電話機
１７０  電源管理部
１７１  受電部
１７２  ＡＣアダプタ判定部
１８０  電池パック
１８５  第１の電池セル
１８６  第２の電池セル
１８８  保護回路
１９３  コイル
１９４  第１の充電経路
１９５  第２の充電経路
１９６  第３の充電経路
１９７  接続点
２００  充電台
【図１】
2014036504.tif 000003
【図２】
2014036504.tif 000004
【図３】
2014036504.tif 000005
【図４】
2014036504.tif 000006
【図５】
2014036504.tif 000007